(57)【要約】【課題】  メッセージの着信通知を受信した後のメッセージの続き受信を、利用者が希望するメッセージについてのみ自動実行することができる移動体通信端末を提供する。【解決手段】  本移動体通信端末（携帯電話機）１０は記憶部１１１と通信部１１０と制御部１１３とを備える。記憶部１１１は、予め設定された自動続き受信条件を記憶している。通信部１１０は、メッセージ及びその着信通知を携帯電話通信網２０を介して受信する。制御部１１３は、着信通知に含まれる情報が記憶部１１１に記憶されている自動続き受信条件に合致しているか否かに応じて、上記着信通知に対応するメッセージの続き受信を選択的に自動実行するように、通信部１１０を制御する。【選択図】  図１０
2006121353.tif 000002
【特許請求の範囲】
【請求項１】
通信ネットワークを介してメッセージを受信する際に、該メッセージの着信通知を先行して受信し、該着信通知に基づいて該メッセージの全体を取得するように該着信通知に対する該メッセージの続き受信を行う移動体通信端末であって、
予め設定された自動続き受信条件を記憶する記憶手段と、
該メッセージ及びその着信通知を通信ネットワークを介して受信する通信手段と、
該着信通知に含まれる情報が該記憶手段に記憶されている自動続き受信条件に合致しているか否かに応じて、該着信通知に対応するメッセージの続き受信を選択的に自動実行するように、該通信手段を制御する制御手段とを備えたことを特徴とする移動体通信端末。
【請求項２】
請求項１の移動体通信端末において、
上記自動続き受信条件の変更指示を入力するための変更指示入力手段を備え、
上記制御手段は、該変更指示受付手段で入力された変更指示に基づいて、該記憶手段に記憶している自動続き受信条件を変更することを特徴とする移動体通信端末。
【発明の詳細な説明】
【技術分野】
【０００１】
本発明は、通信ネットワークを介してメッセージを受信する際に、メッセージの着信通知を先行して受信し、その着信通知に基づいてメッセージの全体を取得するように続き受信を行う携帯電話機等の移動体通信端末に関するものである。
【背景技術】
【０００２】
従来、この種の移動体通信端末として、移動体通信ネットワーク等の通信ネットワークを介して、他の移動体通信端末との間でメッセージを送受信可能な携帯電話機などの移動体通信端末が知られている。当初、移動体通信ネットワークにおける伝送能力が悪かったため、上記移動体通信端末間で送受信されるメッセージの種類は、所定サイズ以下のテキストデータに限られていた。その後、移動体通信ネットワークにおける伝送能力の向上により、テキストのデータサイズが拡張されたメッセージや、静止画像等のデータが添付されたメッセージも送受信できるようになってきている。特に最近では、データ伝送速度が高速の移動体通信システムを用いて、テキスト、グラフィック、ビデオ、オーディオ等の複数のメディアタイプのデータをメッセージとして送受信可能なマルチメディアメッセージングサービス（ＭＭＳ）が提供されるようになってきている（例えば、非特許文献１及び特許文献１参照）。
【０００３】
【非特許文献１】Multimedia Messaging Service Architecture Overview Version 1.2 (OMA-MMS-ARCH-v1_2-20030920-C)
【特許文献１】特開２００２−２８１５５０号公報
【発明の開示】
【発明が解決しようとする課題】
【０００４】
上記従来の移動体通信端末でデータサイズが大きいメッセージや添付ファイルがあるメッセージを受信する場合、そのメッセージ本文全体やその添付ファイルがメッセージの宛先である受信側の移動体通信端末へ送信される前に、そのメッセージの差出人、件名、送信日時等の書式的事項を含む着信通知が当該受信側の移動体通信端末に送信される。受信側の移動体通信端末では、この着信通知を確認した利用者が続き受信の操作をすることにより、上記メッセージのメッセージ本文全体や添付ファイルを受信することができる。また、上記従来の移動体通信端末では、上記続き受信を手動ではなく自動的に実行するように設定しておくことができる。この場合は、移動体通信端末が上記着信通知を受信すると、その着信通知の受信に引き続いて上記続き受信を自動的に実行し、利用者の操作を介さずに上記メッセージのメッセージ本文全体や添付ファイルを受信することができる。
ところが、上記従来の移動体通信端末において上記続き受信の自動実行を設定する場合、受信対象のメッセージのすべてについて上記続き受信を自動実行するように一律に設定される。そのため、知人からのメッセージや仕事関係のメッセージ等の上記続き受信の自動実行を希望するメッセージだけでなく、迷惑メール等の上記続き受信自体を行いたくないメッセージについても、上記続き受信を自動実行してしまうという問題があった。
【０００５】
本発明は以上の問題点に鑑みなされたものであり、その目的は、メッセージの着信通知を受信した後のメッセージの続き受信を、利用者が希望するメッセージについてのみ自動実行することができる移動体通信端末を提供することである。
【課題を解決するための手段】
【０００６】
上記目的を達成するために、請求項１の発明は、通信ネットワークを介してメッセージを受信する際に、該メッセージの着信通知を先行して受信し、該着信通知に基づいて該メッセージの全体を取得するように該着信通知に対する該メッセージの続き受信を行う移動体通信端末であって、予め設定された自動続き受信条件を記憶する記憶手段と、該メッセージ及びその着信通知を通信ネットワークを介して受信する通信手段と、該着信通知に含まれる情報が該記憶手段に記憶されている自動続き受信条件に合致しているか否かに応じて、該着信通知に対応するメッセージの続き受信を選択的に自動実行するように、該通信手段を制御する制御手段とを備えたことを特徴とするものである。
また、請求項２の発明は、請求項１の移動体通信端末において、上記自動続き受信条件の変更指示を入力するための変更指示入力手段を備え、上記制御手段は、該変更指示受付手段で入力された変更指示に基づいて、該記憶手段に記憶している自動続き受信条件を変更することを特徴とするものである。
【０００７】
なお、上記続き受信を行う「メッセージ」としては、移動体通信ネットワーク内で送受信可能なデータサイズに制限が設けられたＳＭＳ（Short Message Service）のメッセージよりもデータサイズが大きい移動体通信用メール、ＩＭＴ−２０００に準拠した高速の移動体通信ネットワークに好適なＭＭＳ（Multimedia Messaging System）のマルチメディアメッセージ、インターネット上で送受信可能な電子メール等がある。上記マルチメディアメッセージは、マルチメディアメッセージ通信システム（ＭＭＳ）を介して送受信される、複数のメディアタイプのデータを含めることができるメッセージである。
また、上記続き受信を自動実行するか否かの判断に用いる上記着信通知に含まれる情報としては、メッセージの差出人、件名、送信日時などの書式的事項の情報や、その他「重要度」などのメッセージの種類を特定するためのメッセージ属性情報を用いることができる。また、上記続き受信を自動実行するか否かの判断に用いる上記着信通知に含まれる情報としては、着信通知に含まれるメッセージ本文における特定のテキストや記号の情報や、添付ファイルの有無等の情報を用いることもできる。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）の端末、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末における制御や情報処理は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００８】
本発明によれば、通信ネットワークを介して受信した着信通知に含まれる情報が、予め設定した自動続き受信条件に合致しているか否かに応じて、上記着信通知に対応するメッセージの続き受信を選択的に自動実行するように制御する。
ここで、上記予め設定した自動続き受信条件が上記続き受信を自動実行する条件である場合には、上記着信通知に含まれる情報が自動続き受信条件に合致しているときには当該メッセージの続き受信を自動実行し、上記着信通知に含まれる情報が自動続き受信条件に合致しないときには、当該メッセージの続き受信を自動実行しないように制御する。また、これとは逆に、上記予め設定した自動続き受信条件が上記続き受信を自動実行しない条件である場合には、上記着信通知に含まれる情報が自動続き受信条件に合致していないときには当該メッセージの続き受信を自動実行し、上記着信通知に含まれる情報が自動続き受信条件に合致する場合には、当該メッセージの続き受信を自動実行しないように制御する。
以上のように、着信通知に含まれる情報が予め設定した自動続き受信条件に合致しているか否かに応じて、メッセージの着信通知を受信した後のメッセージの続き受信を、利用者が希望するメッセージについてのみ自動実行することができるという効果がある。
【発明を実施するための最良の形態】
【０００９】
以下、図面を参照して本発明の実施の形態について説明する。
図１は本実施形態に係る通信システム全体の概略構成の一例を示す説明図である。この通信システムは、移動体通信端末としての携帯電話機１０Ａ，１０Ｂと、通信ネットワークとしての携帯電話通信網２０とを用いて構成されている。携帯電話通信網２０は、基地局２１と、コアネットワーク２０１と、ＩＰ（Internet Protocol）ネットワーク２０２と、ＳＭＳＣ（Short Message Service Center）２９とを備えている。
【００１０】
上記基地局２１は、管轄対象のセルごとに設けられ、携帯電話通信網２０内の有線回線からのデータを無線インタフェースに合うデータフォーマットに変換し、管轄対象のセル内にある携帯電話機１０Ａ，１０Ｂに無線周波数で送信する。逆に無線周波数で送信される携帯電話機１０Ａ，１０Ｂからのデータを受信して有線インタフェースに合うデータフォーマットに変換し、携帯電話通信網２０内の有線回線部分に転送する。
【００１１】
上記コアネットワーク２０１は、図示しない位置登録データベース（ＨＬＲ，ＶＬＲ）、加入者データベース、課金システム等を有し、各携帯電話機間の通信等を中継するように通信制御を行う。更に、コアネットワーク２０１は、各携帯電話機と、携帯電話通信網２０内の構成要素との間における通信を中継するように通信制御を行う。また、コアネットワーク２０１は、各携帯電話機と他の通信ネットワークとの間における通信を中継するように通信制御を行う。
【００１２】
また、上記コアネットワーク２０１は、回線交換網のほかパケット交換網を有している。このパケット交換網は、ＳＧＳＮ（Serving GPRS Support Node）２２やＧＧＳＮ（Gateway GPRS Support Node）２３等のノードを有している。ＳＧＳＮ２４は、基地局２１が接続されている図示しない無線ネットワークコントローラとコアネットワーク２０１側のパケット交換網との間のゲートウェイ機能と、各携帯電話機１０Ａ，１０Ｂの位置管理、セキュリティ管理及びアクセス制御を行う機能とを有している。また、ＧＧＳＮ２３は、コアネットワーク２０１側のパケット交換網と、ＩＰネットワーク２０２との間のゲートウェイ機能を有している。
【００１３】
上記ＩＰネットワーク２０２は、プロキシサーバ２４、マルチメディアメッセージ用情報処理装置としてのＭＭＳＣ（Multimedia Messaging Service Center）２５、ゲートウェイサーバ２６、ＰＰＧ（Push Proxy Gateway）サーバ２７、その他図示しないＷＥＢサーバ等を有している。
【００１４】
上記プロキシサーバ２４は、各携帯電話機１０Ａ，１０Ｂと、ＩＰネットワーク２０２内のサーバやインターネット上のサーバとの間の通信を中継する処理を行う。このプロキシサーバ２４は、コアネットワーク２０１における通信プロトコルとＩＰネットワーク２０２やインターネット３０等の他の通信ネットワークにおける通信プロトコルが異なる場合に、両通信プロトコルを合わせるためのプロトコル変換機能も有している。
なお、このＩＰネットワーク２０２の中に、ＷＥＢサーバや、コンテンツをダウンロードするためのダウンロードサーバを設けてもよい。
【００１５】
上記ＭＭＳＣ２５は、メッセージボックス（メッセージデータベース）を有し、次のようなマルチメディアメッセージ（以下「ＭＭＳメッセージ」という。）の処理を行う。例えば、ＭＭＳＣ２５は、送信側の携帯電話機１０Ａから送信されたＭＭＳメッセージを受信すると、そのＭＭＳメッセージをメッセージボックスに一旦保存し、ＰＰＧサーバ２７やＳＭＳＣ２９等を介して受信側の携帯電話機１０ＢにＭＭＳメッセージの着信通知を送信する。
【００１６】
また、上記ＭＭＳＣ２５は、受信側の携帯電話機１０Ｂからメッセージ取得要求を受けると、必要に応じて所定のフォーマット変換を行い、受信側の携帯電話機１０Ｂに送信する。また、ＭＭＳＣ２５は、インターネット３０から携帯電話機１０Ａ，１０Ｂ宛のＭＭＳメッセージを受信したときも着信通知を行った後、必要に応じて所定のフォーマット変換を行い、受信側の携帯電話機１０ＢへＭＭＳメッセージを送信する。
【００１７】
図２は、ＭＭＳ（Multimedia Messaging Service）を提供する上記ＭＭＳＣ２５を介して携帯電話機１０Ａ，１０Ｂ間で送受信されるＭＭＳメッセージの説明図である。このＭＭＳメッセージは、ＲＦＣ（Request for Comments）８２２，２８２２，２０４５，２０４６，２０４７，２０４９等で仕様が規定されているＭＩＭＥ（Multipurpose Internet Mail Extension）対応のインターネットテキストフォーマットのメッセージである。このＭＭＳメッセージは、メッセージ本文６０とヘッダー６１とにより構成されている。ＭＭＳメッセージのメッセージ本文６０は、テキスト情報のほか、音声、イメージ、ビデオ、オーディオなどの様々なメディアによる情報のデータを含めるように構成することができる。また、ＭＭＳメッセージのヘッダー６１は、送信側の携帯電話機などの通信端末において送信メッセージに関する様々な情報のデータが入力される各種フィールドで構成されている。
【００１８】
なお、上記ＭＭＳ、ＭＭＳＣ、ＭＭＳメッセージ等は、次の（１）〜（３）等に規定されている仕様に準拠するものである。
（１）Multimedia Messaging Service Architecture Overview Version 1.2 (OMA-MMS-ARCH-v1_2-20030920-C)
（２）Multimedia Messaging Service Client Transactions Version 1.2 (OMA- MMS-CTR-v1_2-20030916-C)
（３）Multimedia Messaging Service Encapsulation Protocol Version 1.2 (OMA-MMS-ENC-v1_2-20030915-C)
【００１９】
上記ゲートウェイサーバ２６は、携帯電話通信網２０のＩＰネットワーク２０２とインターネット３０との間のゲートウェイ機能とファイヤウォール機能とを有している。
【００２０】
上記ＰＰＧサーバ２７は、ＭＭＳＣ２５から受信したプッシュリクエストに基づいて、上記着信通知等のプッシュ型のメッセージを、ＳＭＳＣ２９を経由して携帯電話機１０Ａ，１０Ｂに送信する。
【００２１】
上記ＳＭＳＣ２９は、ショートメッセージサービス（ＳＭＳ）を提供するものであり、サイズ制限（例えば１２８バイト）のあるショートメッセージを送信側の携帯電話機１０Ａから受信し、受信側の携帯電話機１０Ｂに送信する。また、ＳＭＳＣ２９は、放送形式で複数の携帯電話機にへ一斉にショートメッセージを送信することもできる。
【００２２】
上記携帯電話通信網２０のＩＰネットワーク２０２を介して接続されているインターネット３０には、各種コンテンツ提供用のサーバが接続されている。このコンテンツ提供用のサーバとしては、ＷＥＢページのコンテンツを主に提供するＷＥＢサーバ４０や、画像ファイル、音楽ファイル、アプリケーションのプログラムファイルなどのコンテンツを主に提供するダウンロードサーバ５０等がある。
【００２３】
上記インターネット３０上の各種コンテンツ提供サーバから携帯電話機１０Ａ，１０Ｂにコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００２４】
図３は携帯電話機１０（１０Ａ、１０Ｂ）の一構成例を示す外観図であり、図４は、その携帯電話機１０のハードウェア構成を示す概略構成図である。また、図５は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、ＧＰＳ受信装置１０７を備えている。ＣＰＵ１０１やＲＡＭ１０２等の構成要素は、システムバス１００を介して、互いに各種データやプログラムの命令等のやり取りを行っている。
【００２５】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上でＭＭＳメッセージの送受信を行ったり、受信したＭＭＳメッセージに含まれるテキストや画像（静止画、動画）コンテンツや音声や音楽等のオーディオコンテンツを出力したりしてもよい。
【００２６】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００２７】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、ＭＭＳメッセージを送受信したり、ＭＭＳメッセージに添付されている画像ファイルを展開して表示したり、音楽ファイルを展開して再生したり、アプリケーションプログラムを選択して実行したりすることができる。また、利用者は上記操作部を操作することにより、コンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。
【００２８】
上記出力装置１０５は、表示手段である液晶ディスプレイ（ＬＣＤ）１７、スピーカー１８、図示しない振動デバイス等から構成されている。上記液晶ディスプレイ（ＬＣＤ）１７やスピーカー１８等からなる出力装置で構成されている出力部は、携帯電話通信網２０からＭＭＳメッセージやその着信通知を受信した旨を利用者に知らせたり、ＭＭＳメッセージのテキストや画像（静止画、動画）を液晶ディスプレイ（ＬＣＤ）１７に表示したり、ＭＭＳメッセージに添付の音声や音楽をスピーカー１８から出力したりするときに用いられる。上記ＭＭＳメッセージやその着信通知の受信を利用者に知らせるときは、出力部の液晶ディスプレイ（ＬＣＤ）１７に着信報知画像を表示したり、スピーカー１８から着信音を出力させたりする。
また、上記出力部は、携帯電話通信網２０を介して受信したＷｅｂページを液晶ディスプレイ（ＬＣＤ）１７に表示したり、携帯電話通信網２０から情報を着信した旨を利用者に知らせたりするときにも用いられる。また、上記出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカー１８は、通話中の音声を聞くための受話器用スピーカー（レシーバ）と、着信音や音楽などを出力する外部出力用スピーカーとを別々に設けて構成してもいいし、これらの受話器用スピーカー及び外部出力用スピーカーを兼用するように一つのスピーカーで構成してもよい。
【００２９】
上記出力装置１０５を構成する振動デバイスは、この振動デバイスは、マナーモード（サイレントモード）設定時などに音声電話を着信したりＭＭＳメッセージや各種配信情報を受信したりしたときに、携帯電話機１０の全体を振動させ、その着信等を利用者に知らせるように制御することができる。
【００３０】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とＭＭＳメッセージのやり取りを行ったり、携帯電話通信網２０からゲートウェイサーバを介して、インターネット等の外部の通信ネットワークに接続し、インターネット上の通信端末とのＭＭＳメッセージのやり取り等を行ったりするための通信手段として用いられる。更に、この携帯電話通信網用通信装置１０６は、携帯電話通信網２０を介して、ダウンロードサーバ５０が提供するアプリケーションプログラムをダウンロードしたり、現在位置の位置情報を含む配信情報を受信したりする情報受信手段としても用いられる。
【００３１】
図６は、本実施形態に係る携帯電話機１０（１０Ａ，１０Ｂ）の主要な機能を抽出して示した機能ブロック図である。この携帯電話機１０は、通信部１１０と記憶部１１１と出力部１１２と制御部１１３と操作部１１４とを備えている。
【００３２】
上記通信部１１０は上記携帯電話通信網用通信装置１０６等で構成され、携帯電話通信網２０を介してＭＭＳＣ２５から、当該携帯電話機１０宛のＭＭＳメッセージの差出人及び件名の情報とともに、そのＭＭＳメッセージのメッセージ本文の少なくとも一部を含む着信通知を受信する通信手段としての機能を有する。すなわち、この通信部１１０は、ＨＴＴＰ等の所定の通信プロトコルを用いた通信により、ＭＭＳメッセージに対する着信通知のデータを複数に分割したパケット（分割データ）を互いに独立に携帯電話通信網２０を介して受信する。上記着信通知には、ＭＭＳメッセージの送信日時を含めてもよい。また、通信部１１０は、他の携帯電話機から携帯電話通信網２０を介して送られてきたＭＭＳメッセージを受信するメッセージ受信手段としての機能も有する。また、通信部１１０は、他の通信端末からインターネット３０及び携帯電話通信網２０を介して送られてきたＭＭＳメッセージを受信する手段としての機能も有する。
なお、上記ＭＭＳＣ２５がＭＭＳメッセージに対する着信通知のデータを複数に分割したパケット（分割データ）で送信する場合、上記通信部１１０は着信通知のデータを構成する複数パケットのデータを互いに独立に携帯電話通信網２０を介して受信する。この複数パケットのデータを制御部１１３で連結処理される。
【００３３】
上記記憶部１１１は上記ＲＡＭ１０２やＲＯＭ１０３等の記憶装置で構成され、通信部１１０で受信した着信通知の受信データを記憶する記憶手段としての機能を有する。また、この通信部１１０で受信したＭＭＳメッセージを記憶するメッセージ記憶手段としての機能を有する。また、この記憶部１１１は、利用者等によって予め設定された自動続き受信条件を記憶する記憶手段としての機能も有する。
【００３４】
表１は、上記自動続き受信条件として設定可能な項目及びそのデータの例を示している。表１中の各項目は単独で設定することもできるし、複数の項目を組み合わせて設定することもできる。
なお、自動続き受信条件の項目及びそのデータは表１に示したものに限定されるものではない。着信通知に含まれる情報が合致しているか否かを判定できるような条件であれば、任意の項目のデータからなる条件を設定することができる。
また、上記自動続き受信条件は、上記続き受信を自動実行する条件でもいいし、上記続き受信を自動実行しない条件でもよい。
【表１】
2006121353.tif 000003
【００３５】
上記出力部１１２は上記出力装置１０５等で構成され、通信部１１０で受信した着信通知の受信データを出力する出力手段としての機能を有する。また、出力部１１２は、ＭＭＳメッセージのメッセージ本文のデータをテキストや画像（静止画、動画）コンテンツとしてディスプレイ上に表示したり、音声や音楽等のオーディオコンテンツとしてスピーカーやイヤホンから出力したりすることもできる。
なお、上記ＭＭＳＣ２５がＭＭＳメッセージに対する着信通知のデータを複数に分割したパケット（分割データ）で送信する場合、上記出力部１１２は、通信部１１０で受信した複数のパケットの分割データを連結してＭＭＳメッセージの着信通知として出力する。
【００３６】
上記制御部１１３は上記ＣＰＵ１０１等で構成され、上記通信部１１０による着信通知の送信やＭＭＳメッセージの受信、上記記憶部１１１へのＭＭＳメッセージや着信通知の保存、上記出力部１１２へのＭＭＳメッセージや着信通知の出力等を制御する制御手段としての機能を有する。
【００３７】
更に、上記制御部１１３は、上記着信通知にメッセージ本文の全体が含まれているとき、そのメッセージ本文の全体を受信した旨を通知するためのメッセージ全文完結通知をＭＭＳＣ２５に送信するように通信部１１０を制御する制御手段としての機能も有する。
【００３８】
また、上記制御部１１３は、通信部１１０で受信した着信通知に含まれる情報が記憶部１１１に記憶されている自動続き受信条件に合致しているか否かに応じて、その着信通知に対応するメッセージの続き受信を選択的に自動実行するように通信部１１０を制御する制御手段としての機能も有する。
ここで、上記予め設定した自動続き受信条件が上記続き受信を自動実行する条件である場合には、上記着信通知に含まれる情報が自動続き受信条件に合致しているときには当該メッセージの続き受信を自動実行し、上記着信通知に含まれる情報が自動続き受信条件に合致しないときには、当該メッセージの続き受信を自動実行しないように制御する。これに対し、上記予め設定した自動続き受信条件が上記続き受信を自動実行しない条件である場合には、上記着信通知に含まれる情報が自動続き受信条件に合致していないときには当該メッセージの続き受信を自動実行し、上記着信通知に含まれる情報が自動続き受信条件に合致する場合には、当該メッセージの続き受信を自動実行しないように制御する。
【００３９】
また、上記制御部１１３は、操作部１１４で入力された変更指示に基づいて、記憶部１１１に記憶している自動続き受信条件を変更するように記憶部１１１を制御する制御手段としての機能も有する。
【００４０】
上記操作部１１４は上記入力装置１０４等で構成され、上記記憶部１１１に記憶している自動続き受信条件の変更指示を利用者が入力するための変更指示入力手段としての機能を有する。この変更指示としては、上記表１に例示したような項目からなる自動続き受信条件の追加、削除、内容修正等の指示が挙げられる。
また、上記操作部１１４は、ＭＭＳメッセージ等の各種メッセージに関するデータを利用者が入力するためのメッセージデータ入力手段としての機能や、メニューを利用者が選択するためのメニュー選択手段のとして機能も有する。
【００４１】
図７は、上記構成の通信システムにおいて携帯電話機１０Ａ、１０Ｂ間でＭＭＳメッセージを送受信するときの処理手順の一例を示すシーケンス図である。このメッセージ送受信処理では、メッセージ本文の一部を含む複数のパケットからなるメッセージ着信通知を受けた携帯電話機１０Ｂにおいて利用者が手動でメッセージの受信を行っている。
【００４２】
まず、送信側の利用者は、携帯電話機１０Ａを操作してＭＭＳメッセージ用のアプリケーションを起動し、ＭＭＳメッセージを作成する。そして、送信相手先のアドレスを指定して上記ＭＭＳメッセージを送信するように利用者が携帯電話機１０Ａを操作すると、携帯電話機１０Ａは、「ＨＴＴＰ  ＰＯＳＴ」によるメッセージ送信要求をＭＭＳＣ２５に送信する（ステップＳ１）。
【００４３】
ＭＭＳＣ２５は、上記メッセージ送信要求に対して「ＨＴＴＰ  ２００  ＯＫ」によるメッセージ送信応答を送信側の携帯電話機１０Ａに送信する（ステップＳ２）。その後、ＭＭＳＣ２５は、「ＳＭＳ」によるメッセージ着信通知を、ＰＰＧサーバ２７を経由して受信側の携帯電話機１０Ｂに送信する（ステップＳ３，Ｓ４）。このメッセージ着信通知の送信は、前述のようにメッセージ着信通知を分割した複数のパケット（分割データ）について実行される。
【００４４】
次に、受信側の携帯電話機１０Ｂは、待受け画面（図８のＤ１０１参照）を表示した待受け状態で記メッセージ着信通知の少なくとも第１番目のパケットをＭＭＳＣ２５から受信すると、着信通知用に予め設定しておいたテキストや画像等からなる着信通知画面（図８のＤ１０２、Ｄ１０３参照）を出力部のディスプレイ１７に表示したり、着信通知用に予め設定しておいた音声、特殊音、メロディー、音楽等を出力部のスピーカー１８から出力したりする。例えば、図８のＤ１０２に示すような「メッセージ受信あり」等の着信通知メッセージをディスプレイ１７に表示する。このようなディプレイ１７上の着信通知表示やスピーカーからの着信通知音の出力により、受信側の携帯電話機１０Ｂの利用者は、自分宛のＭＭＳメッセージが届いていることを知ることができる。その着信通知の後、受信側の利用者は、任意のタイミングで、ＭＭＳメッセージを受信するように携帯電話機１０Ｂを操作することができる。例えば、図８のＤ１０２、Ｄ１０３の着信通知画面の「表示」に対応するキーを押下する操作を行う。この操作により、着信メッセージを一覧形式で表示したメッセージボックス内の着信メッセージのリスト情報の画面（図８のＤ１０４参照）が表示される。このメッセージボックスのリスト情報の画面上で新着メッセージの行を選択した状態で利用者が多機能キー（Ｆキー）１５を押下すると、着信通知で受信したメッセージ本文の冒頭部分が、添付ファイルの有無に関する情報とともに表示される。
【００４５】
次に、受信側の携帯電話機１０Ｂは、上記メッセージ着信通知に対して、「ＨＴＴＰ  ＰＯＳＴ」によるメッセージ着信通知応答をＭＭＳＣ２５に送信する（ステップＳ５）。このメッセージ着信通知応答の送信も、上記メッセージ着信通知を構成する複数のパケットごとに実行される。受信側の携帯電話機１０Ｂは、受信できなかったパケットについては、メッセージ着信通知応答を送信しない。ＭＭＳＣ２５は、携帯電話機１０Ｂが受信できなかったパケットについて所定のタイミングで再送する。
【００４６】
ＭＭＳＣ２５は、上記メッセージ着信通知応答を受信した後、「ＳＭＳ」によるメッセージ配信完了通知を、ＰＰＧサーバ２７を経由して送信側の携帯電話機１０Ａに送信する（ステップＳ６，Ｓ７）。このメッセージ配信完了通知のヘッダーには、ＭＭＳ用フィールドの一つである「X-Mms-Status: Deferred」が記述され、このヘッダーフィールドのデータを参照することにより、送信側の携帯電話機１０Ａは、メッセージ着信通知が受信側の携帯電話機１０Ｂに配信され、ＭＭＳメッセージの受信待ちの状態になっていることを認識することができる。
【００４７】
次に、受信側の利用者が上記着信通知を受けたＭＭＳメッセージのメッセージ本文の残りの部分及び添付ファイルを受信するときは、上記ＭＭＳメッセージ用のアプリケーション上で当該ＭＭＳメッセージを指定して受信処理を開始するように携帯電話機１０Ｂを操作する。例えば、上記着信通知の個別表示画面（図８のＤ１０５参照）の「続き受信」に対応するキーを押下したり、オプション表示の画面（図８のＤ１０６参照）で「１．全メッセージ取得」を選択した状態で画面上の「選択」に対応するキーを押下したりする。この操作により、受信側の携帯電話機１０Ｂは、「ＨＴＴＰ  ＧＥＴ」によるメッセージ受信要求をＭＭＳＣ２５に送信する（ステップＳ８）。このメッセージ受信要求を送信すると、ディスプレイ１７には「メッセージ取得中．．．」の画面（図８のＤ１０７参照）が表示される。
なお、着信通知を構成するパケットの一部しか受信できていない連結未完了状態の着信通知の場合は、着信通知のリスト情報に表示され上記着信通知の個別表示画面（図８のＤ１０５参照）を表示できたとしても、ＭＭＳメッセージの続き受信ができないように制御している。
【００４８】
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ９）。このメッセージ受信応答には、ＭＭＳＣ２５のメッセージボックスから読み出された受信対象のＭＭＳメッセージのメッセージ本文とそのメッセージ本文に対応するヘッダーが付加される。
【００４９】
次に、受信側の携帯電話機１０Ｂは、上記メッセージ受信応答に対して「ＨＴＴＰ  ２００  ＯＫ」による受信完了通知をＭＭＳＣ２５に送信する（ステップＳ１０）と、ディスプレイ１７上に「メッセージ取得完了」の画面（図８のＤ１０８参照）を表示する。このメッセージ取得完了の画面上で「ＯＫ」に対応するキーを押下したり、所定時間経過したりすると、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージの全文と添付ファイルの画像などを含むＭＭＳメッセージの画面（図８のＤ１０９参照）をディスプレイ１７上に出力する。
【００５０】
ＭＭＳＣ２５は、上記受信完了通知を受信した後、「ＳＭＳ」によるメッセージ配信完了通知を、ＰＰＧサーバ２７を経由して受信側の携帯電話機１０Ｂに送信する（ステップＳ１１，Ｓ１２）。このメッセージ配信完了通知のヘッダーには、ＭＭＳ用フィールドの一つである「X-Mms-Status: Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００５１】
図９は、上記構成の通信システムにおいて携帯電話機１０Ａ、１０Ｂ間でＭＭＳメッセージを送受信するときの他の処理手順の一例を示すシーケンス図である。このメッセージ送受信処理では、メッセージの着信通知を受けた携帯電話機１０Ｂにおいて自動でメッセージの受信を行っている。なお、図９中のステップＳ１〜Ｓ４については上記図７の場合と同様であるので、説明を省略する。
受信側の携帯電話機１０Ｂは、上記メッセージ着信通知をＭＭＳＣ２５から受信すると、次にようにＭＭＳメッセージの受信処理を自動的に開始する。まず、携帯電話機１０Ｂは、上記メッセージ着信通知に対して、「ＨＴＴＰ  ＧＥＴ」によるメッセージ受信要求をＭＭＳＣ２５に送信する（ステップＳ５）。
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ６）。このメッセージ受信応答には、ＭＭＳＣ２５のメッセージボックスから読み出された受信対象のＭＭＳメッセージのメッセージ本文とそのメッセージ本文に対応するヘッダーが付加される。
次に、受信側の携帯電話機１０Ｂは、上記メッセージ受信応答に対して「ＨＴＴＰ  ２００  ＯＫ」による受信完了通知をＭＭＳＣ２５に送信する（ステップＳ７）。更に、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージを出力する。
ＭＭＳＣ２５は、上記受信完了通知を受信した後、「ＳＭＳ」によるメッセージ配信完了通知をＰＰＧサーバ２７を経由して受信側の携帯電話機１０Ｂに送信する（ステップＳ８，Ｓ９）。このメッセージ配信完了通知のヘッダーには、ＭＭＳ用フィールドの一つである「X-Mms-Status:Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００５２】
図１０は、受信側の携帯電話機１０Ｂにおいて着信通知に基づいて続き受信を選択的に実行する制御手順の一例を示すフローチャートである。この例は、上記予め設定した自動続き受信条件がＭＭＳメッセージの続き受信を自動実行する条件である場合について示している。
受信側の携帯電話機１０Ｂは、ＭＭＳＣ２５からＰＰＧサーバ２７及びＳＭＳＣ２９を経由してＭＭＳメッセージの着信通知データを受信すると（ステップS101）、その着信通知の受信データから、ＭＭＳメッセージの続き受信の自動実行の制御に用いる所定項目の自動続き受信判定用の情報を抽出する（ステップS102）。
【００５３】
次に、携帯電話機１０Ｂは、上記着信通知の受信データから抽出した自動続き受信判定用の情報が、予め設定した自動続き受信条件に合致するか否かを判定する（ステップS103）。
ここで、上記自動続き受信判定用の情報が自動続き受信条件に合致している場合は、当該着信通知に対するＭＭＳメッセージの続き受信を自動実行する（ステップS104）。この続き受信が完了した後、着信通知を出力する（ステップS105）。具体的には、着信通知のメッセージをディスプレイ１７に表示したり、着信通知用に予め設定した楽曲などの音を出力したり、携帯電話機の筐体全体を振動させたりする。この着信通知を受けた利用者は、携帯電話機１０Ｂを操作してＭＭＳメッセージの本文を出力することができる。ＭＭＳメッセージに添付されている画像ファイルを展開して表示したり、音楽ファイルを展開して再生したり、アプリケーションプログラムを選択して実行したりすることができる。
【００５４】
一方、上記自動続き受信判定用の情報が自動続き受信条件に合致していない場合は、上記続き受信を実行しないで、着信通知を出力する（ステップS105）。この場合、利用者は、必要に応じて上記図７に示すような手動による続き受信を実行する。
【００５５】
なお、上記自動続き受信条件が上記続き受信を自動実行しない条件である場合には、上記ステップS103の判定において、上記自動続き受信判定用の情報が自動続き受信条件に合致する場合は上記続き受信を実行しないように制御し、上記自動続き受信判定用の情報が自動続き受信条件に合致しない場合は上記続き受信を実行するように制御する。
【００５６】
以上、本実施形態によれば、着信通知に含まれる情報が予め設定した自動続き受信条件に合致しているか否かに応じて、着信通知を受信した後の続き受信を、利用者が希望するＭＭＳメッセージについてのみ自動実行することができることができる。従って、利用者がすぐに内容を確認したいＭＭＳメッセージについては、手動による続き受信操作の煩雑な作業を行うことなく続き受信を自動実行し、ＭＭＳメッセージ本文や添付ファイルの内容を速やかに出力することができる。一方、迷惑メール等の利用者が希望しないＭＭＳメッセージについては続き受信を実行しないことにより、続き受信のための通信を回避し、無駄な通信料の課金の発生や通信負荷の増加を防止することができる。
また、本実施形態によれば、利用者が操作部１１４を操作して上記自動続き受信条件の追加、削除、内容修正などの変更を行うことができる。
【００５７】
なお、上記実施形態ではＭＭＳメッセージの着信通知を受信する携帯電話機の場合について説明したが、本発明は、ＭＭＳメッセージ以外のメッセージ及びその着信通知を受信する移動体通信端末についても同様に適用することができる。また、本発明は、メッセージ及びその着信通知を受信するものであれば、携帯電話機以外の他の移動体通信端末の場合についても同様に適用することができる。
【図面の簡単な説明】
【００５８】
【図１】本発明の実施形態に係る通信システム全体の概略構成の一例を示す説明図。
【図２】ＭＭＳメッセージの説明図。
【図３】携帯電話機の一構成例を示す外観図。
【図４】携帯電話機のハードウェア構成を示す概略構成図。
【図５】携帯電話機におけるソフトウェア構造の説明図。
【図６】携帯電話機の主要な機能を抽出して示した機能ブロック図。
【図７】携帯電話機間でＭＭＳメッセージを送受信するときの処理手順の一例を示すシーケンス図。
【図８】ＭＭＳメッセージを受信するときの画面遷移の説明図。
【図９】携帯電話機間でＭＭＳメッセージを送受信するときの他の処理手順の一例を示すシーケンス図。
【図１０】携帯電話機において着信通知に基づいて続き受信を選択的に実行する制御手順の一例を示すフローチャート。
【符号の説明】
【００５９】
１０    携帯電話機
１０Ａ  送信側の携帯電話機
１０Ｂ  受信側の携帯電話機
２０    携帯電話通信網
２５    ＭＭＳＣ（マルチメディアメッセージングサービスセンター）
２７    ＰＰＧ（プッシュプロキシゲートウェイ）サーバ
２９    ＳＭＳＣ（ショートメッセージサービスセンター）
【図１】
2006121353.tif 000004
【図２】
2006121353.tif 000005
【図３】
2006121353.tif 000006
【図４】
2006121353.tif 000007
【図５】
2006121353.tif 000008
【図６】
2006121353.tif 000009
【図７】
2006121353.tif 000010
【図８】
2006121353.tif 000011
【図９】
2006121353.tif 000012
【図１０】
2006121353.tif 000013